(57)【要約】      （修正有）【課題】安価な框を用いて式台領域の利用効率が向上できる玄関框を提供する。【解決手段】玄関框１２は框１８と式台１９からなり、両側壁１３ａ、１３ｂと框１８に対向する側壁１３ｃとで囲まれる矩形領域に形成される。側壁１３ｂには扉２０が設けられる。框１８は直線状に側壁１３ｃに平行に設けられ、下床面１５と上床面１６の高さ方向の中間部に式台１９が設けられる。式台１９は框１８と平行に幅Ｒ１の平行部１９ｂを備え、この平行部１９ｂに連設して曲線状に迫出す迫出し部１９ａが設けられる。迫出し部１９ａの迫出し形状は框１８の一端部１８ｂの位置Ｑ１から長さＲ２で位置Ｑ２に亘り、さらに、平行部１９ｂの略中央位置Ｑ３に向かう曲率半径Ｒ３の凸状曲線Ｌで形成され、略中央位置Ｑ３近傍において曲率半径Ｒ４の凹状曲線Ｓによって凸状曲線Ｌは平行部１９ｂの側面Ｍに連続する形状である。【選択図】図１
2007197983.tif 000002
【特許請求の範囲】
【請求項１】
住宅の玄関に設けられる、框と式台からなる玄関框であって、
前記框は直線状に設けられるとともに下床面と上床面との中間部に備える前記式台に載置されてなり、この式台は前記框から曲線状に迫出す迫出し部を備えることを特徴とする玄関框。
【請求項２】
請求項１に記載の玄関框であって、前記迫出し部は前記框と平行に設けられる前記式台の平行部に連設されることを特徴とする玄関框。
【請求項３】
請求項１又は請求項２に記載の玄関框であって、前記迫出し部は前記框の一端部から中央に至る領域に形成されることを特徴とする玄関框。
【請求項４】
請求項１又は請求項２に記載の玄関框であって、前記迫出し部は前記框の中央領域に形成されることを特徴とする玄関框。
【発明の詳細な説明】
【技術分野】
【０００１】
本発明は住宅の玄関に設けられる玄関框に関するもので、詳しくは、使用者の利用効率が向上する框と式台からなる玄関框の構造に関する。
【背景技術】
【０００２】
従来、住宅の玄関に設けられる玄関框の上床面と下床面との間の段差が大きい場合、特に使用者が高齢者であると下床面から上床面に上がるのは一苦労であった。この問題を解決するため、従来技術として特許文献１に記載の内容が知られている。
【０００３】
図４に示すように、特許文献１の玄関框６は一側壁５に接して設けられ、框３１は直線形状で、下床面１と上床面２の間には段差を補うため偏平箱形状の式台４が設けられる。下床面１にはタイル張り１１が施工されている。
【０００４】
このため、下床面１と上床面２間の段差が大きい場合でも、使用者は履物を下床面１で脱いで一旦式台４に上がり、さらに式台４から框３１を跨いで容易に上床面２に上がることができる。なお、降りる際も式台４を用いて同様に容易に降りることができる。
【０００５】
ところが、住宅の玄関は来客を迎える際に好印象を与えるための大切な場所なので、少しでも優雅な印象を与える工夫やインテリア性に優れたデザインが求められている。このため、図５に示すように、框１４は直線形状ではなくＳ字曲線形状で形成され、玄関框１２は幅Ｋで設けられる両側壁１３ａ、１３ｂと、框１４に対向する側壁１３ｃによる矩形形状で囲まれている。
【０００６】
下床面１５と上床面１６の間には段差を補うための式台１７が設けられ、式台１７は框１４のＳ字曲線形状に沿うとともにＳ字曲線形状の迫出し部１４ａに沿って迫出先端部１７ａが迫出される。迫出先端部１７ａは側壁１３ｃに平行に直線形状に形成される。また、下床面１５領域に外部から出入りするための図示しない入口扉が側壁１３ａ、１３ｂ、側壁１３ｃのいずれかの側壁に設けられる。
【特許文献１】特開平７−３２４４６７号公報
【発明の開示】
【発明が解決しようとする課題】
【０００７】
ところが、曲線形状の框１４は直線形状の框に比べて曲げ加工等の製作工程が増えるとともに、上床面１６も曲線形状の框１４に合わせて加工する必要があるのでコスト高になるという問題があった。
【０００８】
さらに、玄関框１２から側壁１３ｃに亘る玄関スペースの広さが十分に確保できないため、框１４の迫出し部１４ａから式台１７を迫出す余裕がないので幅Ｎの式台１７が形成できない領域が発生していた。
【０００９】
より詳しくは、式台１７が形成できない幅Ｎの領域は、形状的には框１４の一端である位置Ｐから位置Ｑまでの略直線領域であるが、式台１７の位置Ｑから幅Ｋの略中央の位置Ｐ１までの領域は狭いので足を乗せて利用することが困難である。このため、使用者が実質的に使用できる式台１７の幅は位置Ｐ１から框１４の他端である点Ｐ２までの幅Ｎ１の領域であり、Ｎ１≒Ｋ／２である。
【００１０】
このように、式台１７の利用できる領域が十分確保できないので、玄関框１２の利用効率が低下するという問題があった。そして、一度に大勢の来客を迎えると靴の置き場が十分確保できないので、来客が下床面１５領域を素足で歩き、且つ他人の靴を踏みつけることがあった。
【００１１】
そこで、本発明はかかる従来技術の問題に鑑みなされたものであって、玄関スペースが十分に確保できない場合でも、直線形状で曲げ加工がなく安価な框を用いて利用効率が向上する玄関框の構造を提供することを目的とする。
【課題を解決するための手段】
【００１２】
請求項１の発明は、住宅の玄関に設けられる、框と式台からなる玄関框であって、前記框は直線状に設けられるとともに下床面と上床面との中間部に備える前記式台に載置されてなり、この式台は前記框から曲線状に迫出す迫出し部を備えることを特徴としている。
【００１３】
請求項２の発明は、請求項１に記載の玄関框であって、前記迫出し部は前記框と平行に設けられる前記式台の平行部に連設されることを特徴としている。
【００１４】
請求項３の発明は、請求項１又は請求項２に記載の玄関框であって、前記迫出し部は前記框の一端部から中央に至る領域に形成されることを特徴としている。
【００１５】
請求項４の発明は、請求項１又は請求項２に記載の玄関框であって、前記迫出し部は前記框の中央領域に形成されることを特徴としている。
【発明の効果】
【００１６】
請求項１記載の発明によれば、住宅の玄関に設けられる、框と式台からなる玄関框であって、前記框は直線状に設けられるとともに下床面と上床面との中間部に備える前記式台に載置されてなり、この式台は前記框から曲線状に迫出す迫出し部を備えるため、直線状の前記框は曲線形状の框に比べて曲げ加工の製作工程が不要なのでコストを下げることができる。
【００１７】
また、前記框が直線状に設けられるので、前記框に接する上床面の施工が容易にできるのでコストを下げることができる。
【００１８】
式台は前記框から曲線状に迫出す迫出し部を備えるので、前記式台の周縁長が長くなるので、使用者が上がり降りの際に利用できる式台領域が拡大するため玄関框の利用効率が高まる。
【００１９】
請求項２記載の発明によれば、請求項１に記載の玄関框であって、前記迫出し部は前記框と平行に設けられる前記式台の平行部に連設されるので、式台の迫出し部が設けられない領域でもこの平行部に足を掛けて上床面に上がることができるので、式台領域をさらに効率よく拡大することができるので玄関框の利用効率が高まる。
【００２０】
請求項３記載の発明によれば、請求項１又は請求項２に記載の玄関框であって、前記迫出し部は前記框の一端部から中央に至る領域に形成されるので前記式台の周縁長が長くなり、利用できる式台領域が拡大するので玄関框の利用効率が高まる。
【００２１】
請求項４記載の発明によれば、請求項１又は請求項２に記載の玄関框であって、前記迫出し部は前記框の中央領域に形成されるので、前記式台の周縁長が長くなり、請求項３の効果と同じ効果が得られる。
【発明を実施するための最良の形態】
【００２２】
＜本発明の第１の実施形態＞
以下に、本発明の第１の実施形態を図１に基づいて説明する。なお、図５に示した構成と同等部分には適宜に同一符号を付して説明する。
【００２３】
＜玄関框の構成＞  
図1（ａ）、（ｂ）に示すように、住宅の玄関に設けられる玄関框１２は框１８と式台１９から成り、側壁１３ａと側壁１３ｂ間（幅Ｋ）と、框１８と側壁１３ｃ間（幅Ｋ１）で囲まれる矩形形状の玄関スペースに設けられる。
【００２４】
框１８は側壁１３ｃと平行に直線状に設けられ、この框１８は下床面１５と上床面１６の高さ方向の中間部に設けられる式台１９の上に載置して形成される。ここで、框１８と式台１９は一体構造でも別体構造でも構わない。側壁１３ｂには扉２０が設けられる。
【００２５】
このように、式台１９の一部は框１８の平面形状と同じ形状領域が框１８の下側に隠れるが、以下の説明においては、式台１９の形状は框１８の前壁１８ａより迫出して目視できる部分を基にして説明する。
【００２６】
式台１９は框１８と平行に框１８の前壁１８ａから幅Ｒ１で設けられる平行部１９ｂを備え、この平行部１９ｂに連設して曲線状に迫出す迫出し部１９ａが設けられる。幅Ｒ１は使用者が下床面１５から上床面１６に上がる際に片足をのせるに十分な幅に設定される。
【００２７】
迫出し部１９ａの迫出し形状は、框１８の一端部１８ｂの前壁１８ａにおける位置Ｑ１から側壁１３ａに沿って長さＲ２の位置Ｑ２から、平行部１９ｂの長手方向の略中央位置Ｑ３に向かって曲率半径Ｒ３を含む凸状曲線Ｌで形成され、略中央位置Ｑ３近傍においては曲率半径Ｒ４の凹状曲線Ｓになり、さらに凹状曲線Ｓは平行部１９ｂの側面Ｍに連続する形状である。凸状曲線Ｌの位置Ｑ２近傍は框１８に平行な略直線状に形成される。
【００２８】
玄関框１２の構成材料は、例えば、框１８は高さＨ１＝１５０ｍｍのＭＤＦ材と単板、式台１９は高さＨ２＝４５ｍｍのＭＤＦ複合合板と単板が用いられる。ここで、式台１９は高さＨ３のベース材２５の上に設けられる。式台１９の下部は靴等の格納スペースとして用いる場合や、ベース材２５全体をタイル貼り等の化粧仕上げで囲んで式台１９の下部を塞ぐ場合もある。
【００２９】
＜玄関框の作用＞
直線形状の框１８は曲げ加工の製作工程が不要なのでコストを低くできる。また、上床面１６の框に接する部分の施工も容易にできるのでコストを下げることができる。
【００３０】
さらに、上記のように、式台１９の迫出し部１９ａの迫出し形状は凸状曲線Ｌ（長さをＬ１とする）と凹状曲線Ｓ（長さをＳ１とする）と平行部１９ｂに連続する側面Ｍ（長さをＭ１とする）領域から成り、幅Ｒ１は使用者が下床面１５から上床面１６に上がる際に片足をのせるに十分な幅に形成される。
【００３１】
このため、使用者が式台１９として使用できる周縁長をＴ１とすると、Ｔ１＝Ｌ１＋Ｓ１＋Ｍ１となり、Ｔ１＞＞Ｎ１（Ｎ１は上記図５における使用者の利用できる幅）となるので、玄関スペースが十分に確保できない場合でも使用者が利用できる式台の周縁長を長く確保できるので玄関框の利用効率が高まる。
【００３２】
また、迫出し部１９ａは上床面１６よりも低い位置に設けられるために嵩張らず威圧感が軽減されるので、玄関スペースが十分に確保できない場合でも問題なく配置することできる。
【００３３】
さらに、使用者は、側壁１３ｂと側壁１３ｃと平行部１９ｂとに囲われ、且つ、下床面１５の迫出し部１９ａが設けられていない領域２１に容易に入ることができるので、玄関スペースが十分に確保できない場合でも扉２０を間口の狭い側壁１３ｂに設けることで使用者が玄関スペースを広く感じる配置にすることができる。
【００３４】
＜本発明の第２の実施形態＞
本発明の第２の実施形態を図２を用いて説明するが、図１に示す玄関框の構成と同構成部分については、図面に同符号を付して重複した説明を省略する。
【００３５】
図２に示すように、迫出し部１９ｃの迫出し形状は、框１８の一端部１８ｂの前壁１８ａ上の位置Ｑ１から側壁１３ａに沿って迫出し長さＲ５の位置を位置Ｑ２とする。（Ｒ５は図１に示すＲ１とＲ２の合計長さＲ５＝Ｒ１＋Ｒ２である。）
【００３６】
位置Ｑ２から框１８の長手方向の略中央位置Ｑ４に向かって曲率半径Ｒ３を含む凸状曲線ＬＬ（長さをＬ１とする）で形成され、略中央位置Ｑ４近傍において曲率半径Ｒ４の凹状曲線Ｓ（長さをＳ１とする）によって前壁１８ａに連続して接する形状である。
【００３７】
このため、使用者が式台１９として使用できる周縁長Ｔ２＝Ｌ１＋Ｓ１であり、式台１９が迫出していることにからＴ２＞Ｎ１である。このため、玄関スペースが十分に確保できない場合でも使用者が利用する周縁長Ｔ２を長く確保することができるため玄関框の利用効率が高まる。さらに、図１に示す式台１９の平行部１９ｂが省かれているので側壁１３ｂは間口を広く利用できるので、親子扉２０ａを設けることもできる。
【００３８】
＜本発明の第３の実施形態＞
本発明の第３の実施形態を図３を用いて説明するが、図１に示す玄関框の構成と同構成部分については、図面に同符号を付して重複した説明を省略する。
【００３９】
図３に示すように、式台１９は框１８と平行に框１８の前壁１８ａから幅Ｒ１で設けられる平行部１９ｂを備え、迫出し部１９ｄが框１８の中央領域に曲率半径Ｒ５で平行部１９ｂからＲ７迫出して形成される。迫出し部１９ｄと平行部１９ｂは曲率半径Ｒ６で連設される。
【００４０】
迫出し部１９ｄは中央領域に形成されるので使用者が式台１９として使用できる周縁長をＴ３とすると、Ｔ３＞Ｋ＞Ｎ１となり、周縁長Ｔ３が飛躍的に長くなるので、玄関スペースが十分に確保できない場合でも式台領域を有効的に確保できて玄関框の利用効率が高まる。
【００４１】
以上、本発明の実施形態を図面に基づいて説明したが、上記の実施例はいずれも本発明の一例を示したものであり、本発明はこれらに限定されるべきでないということは言うまでもない。
【００４２】
玄関框１２の構造は、框１８を式台１９に載置するかわりに、框１８の前壁１８ａに式台１９を連設する構造でも構わない。
【図面の簡単な説明】
【００４３】
【図１】本発明の第１の実施形態における、玄関に設けられる框１８と式台１９からなる玄関框１２で、（ａ）は式台１９は框１８と平行に設けられる平行部１９ｂを備え、この平行部１９ｂに連設して曲線状に迫出す迫出し部１９ａが設けられる玄関框１２の状態を示す平面図である。（ｂ）は図1（ａ）のＡ−Ａ端面図である。
【図２】本発明の第２の実施形態における、平行部を設けない式台１９に迫出し部１９ｃが設けられた玄関框１２の状態を示す平面図である。
【図３】本発明の第３の実施形態における、式台１９に設けられる平行部１９ｂに連設して、框１８の中央領域に迫出し部１９ｄが設けられた玄関框１２の状態を示す平面図である。
【図４】従来例における、玄関に設けられる框３１と式台４からなる玄関框６の状態を示す斜視図である。
【図５】従来例における、玄関に設けられる框１８と式台１９からなる玄関框１２で、曲線状の框１８と式台１９から成る玄関框１２の状態を示す平面図である。
【符号の説明】
【００４４】
１２  玄関框
１３ａ  側壁
１３ｂ  側壁
１３ｃ  側壁
１５  下床面
１６  上床面
１８  框
１８ａ  一端部
１９  式台
１９ｂ  平行部
１９ａ  迫出し部
２０  扉
Ｒ１  幅
Ｒ２  長さ
Ｒ３  曲率半径
Ｒ４  曲率半径
Ｌ  凸状曲線
Ｓ  凹状曲線
Ｍ  側面
Ｑ１  位置
Ｑ２  位置
Ｑ３  中央点
【図１】
2007197983.tif 000003
【図２】
2007197983.tif 000004
【図３】
2007197983.tif 000005
【図４】
2007197983.tif 000006
【図５】
2007197983.tif 000007